Podtech/llm-jp-corpus-v4-ja_patent huggingface dataset:
【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
式［３１］
【化１】
2019048806.tif 000001
の化合物又はその有機酸との塩を用いて、式［１７］
【化２】
2019048806.tif 000002
の化合物又はその塩を製造する方法であって、以下の工程を含む方法：
（１）式［３１］の化合物又はその有機酸との塩と式［１２］
【化３】
2019048806.tif 000003
の化合物又はその塩を反応させることにより式［１４］
【化４】
2019048806.tif 000004
の化合物又はその塩を得る工程、及び
（２）式［１４］の化合物又はその塩をシアノアセチル化することにより式［１７］の化合物又はその塩を得る工程。
【請求項２】
式［３１］の化合物に有機酸を添加することにより式［３１］の化合物の有機酸との塩を得る工程をさらに含む、請求項１に記載の方法。
【請求項３】
有機酸との塩が二コハク酸塩又はシュウ酸塩である、請求項１又は２に記載の方法。
【請求項４】
式［２８］
【化５】
2019048806.tif 000005
の化合物又はその有機酸との塩から式［３１］の化合物又はその有機酸との塩を得る工程をさらに含む、請求項１、２又は３のいずれかに記載の方法。
【請求項５】
式［２８］の化合物に有機酸を添加することにより式［２８］の化合物の有機酸との塩を得る工程をさらに含む、請求項４に記載の方法。
【請求項６】
式［２８］の化合物の有機酸との塩がシュウ酸塩である、請求項４又は５に記載の方法。
【請求項７】
式［３１］
【化６】
2019048806.tif 000006
の化合物又はその有機酸塩との塩。
【請求項８】
有機酸との塩が二コハク酸塩又はシュウ酸塩である、請求項７に記載の塩。
【請求項９】
式［２８］
【化７】
2019048806.tif 000007
の化合物の有機酸との塩。
【請求項１０】
有機酸との塩がシュウ酸塩である、請求項９に記載の塩。
【手続補正書】
【提出日】令和3年9月6日(2021.9.6)
【手続補正１】
【補正対象書類名】明細書
【補正対象項目名】発明の名称
【補正方法】変更
【補正の内容】
【発明の名称】複合材料、その形成方法、及び無線周波数アイソレータ又はサーキュレータ
【手続補正２】
【補正対象書類名】特許請求の範囲
【補正対象項目名】全文
【補正方法】変更
【補正の内容】
【特許請求の範囲】
【請求項１】
無線周波数コンポーネントとして使用される複合材料であって、
低温焼成可能外側材料であって、ガーネット又は灰重石構造を有する低温焼成可能外側材料と、
前記低温焼成可能外側材料の中に配置される高誘電性内側材料と
を含み、
前記高誘電性内側材料は３０を上回る誘電率を有し、
前記低温焼成可能外側材料及び前記高誘電性内側材料は一緒に、６５０〜９００℃の温度において接着剤又はのりを使用することなく共焼成されるように構成され、
前記高誘電性内側材料は円盤の形状にされ、
前記低温焼成可能外側材料はリングの形状にされる、複合材料。
【請求項２】
前記低温焼成可能外側材料はＮａ０．２Ｂｉ０．８Ｍｏ０．４Ｖ０．６Ｏ４又はＮａ０．３５Ｂｉ０．６５Ｍｏ０．７Ｖ０．３Ｏ４である、請求項１の複合材料。
【請求項３】
前記低温焼成可能外側材料は組成Ｂｉ１−２ｘＡ２ｘＶ１−ｘＭｘＯ４を有し、
ＡはＬｉ、Ｎａ、Ｋ、又はこれらの組み合わせであり、
ＭはＭｏ、Ｗ、又はこれらの組み合わせであり、
ｘは０〜０．４５である、請求項１の複合材料。
【請求項４】
前記低温焼成可能外側材料は２０〜８０の誘電率を有する、請求項３の複合材料。
【請求項５】
前記低温焼成可能外側材料は組成Ｃ２ＢｉＤ２Ｖ３Ｏ１２を有し、
ＣはＬｉ、Ｎａ、Ｋ、又はこれらの組み合わせであり、
ＤはＭｇ、Ｚｎ、Ｃｏ、Ｎｉ、Ｃｕ、又はこれらの組み合わせである、請求項１の複合材料。
【請求項６】
前記低温焼成可能外側材料は化学式ＢａＷＯ４を有するタングステン酸バリウムである、請求項１の複合材料。
【請求項７】
前記タングステン酸バリウムはＭｇＡｌ２Ｏ４又はＣｏＡｌ２Ｏ４により修正される、請求項６の複合材料。
【請求項８】
前記低温焼成可能外側材料はＮａ２ＢｉＭｇ２Ｖ３Ｏ１２である、請求項１の複合材料。
【請求項９】
無線周波数コンポーネントとして使用される複合材料であって、
低温焼成可能外側材料であって、ガーネット又は灰重石構造を有する低温焼成可能外側材料と、
前記低温焼成可能外側材料の中に配置される高誘電性内側材料と
を含み、
前記高誘電性内側材料は３０を上回る誘電率を有し、
前記低温焼成可能外側材料及び前記高誘電性内側材料は一緒に、６５０〜９００℃の温度において接着剤又はのりを使用することなく共焼成されるように構成され、
前記高誘電性内側材料は３５を上回る誘電率を有する、複合材料。
【請求項１０】
無線周波数デバイスにおけるアイソレータ又はサーキュレータとして使用される複合材料を形成する方法であって、
低温焼成可能外側材料を与えることであって、前記低温焼成可能外側材料はガーネット又は灰重石構造を有することと、
高誘電性内側材料を前記低温焼成可能外側材料における開口の中に入れることであって、前記高誘電性内側材料は３０を上回る誘電率を有することと、
接着剤又はのりを使用することなく前記低温焼成可能外側材料が前記高誘電性内側材料の外側表面まわりに収縮させるべく、前記低温焼成可能外側材料及び前記高誘電性内側材料を一緒に６５０〜９００℃の温度において共焼成することと、
前記低温焼成可能外側材料及び前記高誘電性内側材料を共焼成後にスライスすることと
を含む、方法。
【請求項１１】
前記低温焼成可能外側材料は組成Ｂｉ１−２ｘＡ２ｘＶ１−ｘＭｘＯ４を有し、
ＡはＬｉ、Ｎａ、Ｋ、又はこれらの組み合わせであり、
ＭはＭｏ、Ｗ、又はこれらの組み合わせであり、
ｘは０〜０．４５である、請求項１０の方法。
【請求項１２】
前記低温焼成可能外側材料は組成Ｃ２ＢｉＤ２Ｖ３Ｏ１２を有し、
ＣはＬｉ、Ｎａ、Ｋ、又はこれらの組み合わせであり、
ＤはＭｇ、Ｚｎ、Ｃｏ、Ｎｉ、Ｃｕ、又はこれらの組み合わせである、請求項１０の方法。
【請求項１３】
前記低温焼成可能外側材料は化学式ＢａＷＯ４を有するタングステン酸バリウムである、請求項１０の方法。
【請求項１４】
前記低温焼成可能外側材料はＮａ２ＢｉＭｇ２Ｖ３Ｏ１２である、請求項１０の方法。
【請求項１５】
無線周波数アイソレータ又はサーキュレータであって、
低温焼成可能外側材料であって、ガーネット又は灰重石構造を有する低温焼成可能外側材料と、
前記低温焼成可能外側材料の中に配置された高誘電性内側材料と
を含み、
前記高誘電性内側材料は３０を上回る誘電率を有し、
前記低温焼成可能外側材料及び前記高誘電性内側材料は一緒に、６５０〜９００℃の温度において接着剤又はのりを使用することなく共焼成されるように構成され、
前記高誘電性内側材料は円盤の形状にされ、
前記低温焼成可能外側材料はリングの形状にされる、無線周波数アイソレータ又はサーキュレータ。
【請求項１６】
前記低温焼成可能外側材料は組成Ｂｉ１−２ｘＡ２ｘＶ１−ｘＭｘＯ４を有し、
ＡはＬｉ、Ｎａ、Ｋ、又はこれらの組み合わせであり、
ＭはＭｏ、Ｗ、又はこれらの組み合わせであり、
ｘは０〜０．４５である、請求項１５の無線周波数アイソレータ又はサーキュレータ。
【請求項１７】
前記低温焼成可能外側材料は組成Ｃ２ＢｉＤ２Ｖ３Ｏ１２を有し、
ＣはＬｉ、Ｎａ、Ｋ、又はこれらの組み合わせであり、
ＤはＭｇ、Ｚｎ、Ｃｏ、Ｎｉ、Ｃｕ、又はこれらの組み合わせである、請求項１５の無線周波数アイソレータ又はサーキュレータ。
【請求項１８】
前記低温焼成可能外側材料は化学式ＢａＷＯ４を有するタングステン酸バリウムである、請求項１５の無線周波数アイソレータ又はサーキュレータ。
【請求項１９】
前記高誘電性内側材料は円盤の形状にされ、
前記低温焼成可能外側材料はリングの形状にされる、請求項１５の無線周波数アイソレータ又はサーキュレータ。
【請求項２０】
前記高誘電性内側材料は３５を上回る誘電率を有する、請求項１の複合材料。
【手続補正書】
【提出日】令和3年5月25日(2021.5.25)
【手続補正１】
【補正対象書類名】明細書
【補正対象項目名】００４２
【補正方法】変更
【補正の内容】
【００４２】
当然ながら、当業者であれば、その時々の要件や偶発的な要件を満足するために、本発明に様々な変更や変形を施すことが可能であり、いずれにせよこれら変更や変形の全ては添付の特許請求の範囲により定まる保護範囲に含まれる。
以下、本発明に含まれる態様を記す。
〔態様１〕自転車のチューブ状エレメント（Ｍ）に固定するための着脱可能なクランプ装置（２０；１２０）と、
前記チューブ状エレメントに結合されるように構成された後面（１４）を有する本体部（１２）と、
を備え、前記着脱可能なクランプ装置（２０；１２０）が、前記チューブ状エレメント（Ｍ）の周囲に配置されるように構成された環状体（２２）を含む自転車部品において、
前記本体部（１２）が、前記後面（１４）と前面（１６）との間の貫通開口（１８）を有しており、
前記着脱可能なクランプ装置（２０；１２０）が、
−スライダ（３２；１３２）であって、当該スライダ（３２；１３２）のうちの第１の端部部位（３４）で前記環状体（２２）と連結されていて、前記貫通開口（１８）内において解放位置とクランプ位置との間でスライド可能であり、当該クランプ位置では、前記環状体（２２）が前記本体部（１２）の前記後面（１４）に向かって引き寄せられる、スライダ（３２；１３２）、ならびに
−前記スライダ（３２；１３２）を作動させるレバー（４２；１４２）であって、前記スライダ（３２；１３２）に及び前記本体部（１２）に係合しており、当該レバー（４２；１４２）は、前記本体部（１２）に対してロック解除位置とロック位置との間で運動可能であり、当該ロック位置では、前記スライダ（３２；１３２）が前記クランプ位置にある、レバー（４２；１４２）、を含むことを特徴とする、自転車部品。
〔態様２〕態様１に記載の自転車部品において、前記ロック位置では、前記レバー（４２；１４２）が、前記本体部（１２）の前記前面（１６）に形成された座部（１７）に少なくとも部分的に収まっている、自転車部品。
〔態様３〕態様１または２に記載の自転車部品において、前記レバー（４２）が前記スライダ（３２）に対して回転並進可能であり、当該スライダ（３２）の長手方向軸心（Ｘ）と直交する軸心を有するピン（４６）を中心として回転が生じる、自転車部品。
〔態様４〕態様３に記載の自転車部品において、前記ピン（４６）が、前記レバー（４２）に固定的に連結されており、かつ、前記スライダ（３２）の座部（３８）に係合している、自転車部品。
〔態様５〕態様１または２に記載の自転車部品において、前記レバー（１４２）が前記本体部（１２）に対して回転可能であり、その回転は、前記スライダ（１３２）の長手方向軸心（Ｘ）回りに生じる、自転車部品。
〔態様６〕態様５に記載の自転車部品において、前記スライダ（１３２）が円筒状の第２の端部部位（１３６）を有し、前記レバー（１４２）が前記スライダ（１３２）の前記第２の端部部位（１３６）周りに回転可能に取り付けられたカラー部（１４３）を有する、自転車部品。
〔態様７〕態様６に記載の自転車部品において、前記スライダ（１３２）が当該スライダ（１３２）のうちの第２の端部部位（１３６）に形成された溝（１３７）を有し、前記レバー（１４２）が前記カラー部（１４３）から径方向内方に突出した歯部（１４５）を有しており、当該歯部（１４５）は前記レバー（１４２）の回転時に前記溝（１３７）内でスライド可能である、自転車部品。
〔態様８〕態様１から７のいずれか一態様に記載の自転車部品において、前記環状体（２２）は開くことが可能なものである、自転車部品。
〔態様９〕態様１から８のいずれか一態様に記載の自転車部品において、前記環状体（２２）が、ループ状に巻かれて閉じられた略扁平なストリップ（２３）で製作されている、自転車部品。
〔態様１０〕態様９に記載の自転車部品において、前記ストリップ（２３）が、当該ストリップ（２３）の両側の２つの端部部位に設けられて互いに重ね合わされた２つの貫通開口部（２４，２５）を有する、自転車部品。
〔態様１１〕態様１０に記載の自転車部品において、一方の貫通開口部（２４）が孔であり、他方の貫通開口部（２５）が調節スロットである、自転車部品。
〔態様１２〕態様１から１１のいずれか一態様に記載の自転車部品において、前記環状体（２２）が、ねじで前記スライダ（３２）のうちの第１の端部部位（３４）に連結されている、自転車部品。
〔態様１３〕態様１０に記載の自転車部品において、前記スライダ（３２）が、拡径された前記第１の端部部位（３４）を有しており、かつ、互いに重ね合わされた前記２つの貫通開口部（２４，２５）に差し込まれている、自転車部品。
〔態様１４〕態様２に記載の自転車部品において、前記ロック位置では、前記レバー（４２；１４２）が、前記本体部（１２）の前記前面（１６）に形成された前記座部（１７）に完全に収まっている、自転車部品。
〔態様１５〕態様１から１４のいずれか一態様に記載の自転車部品において、当該部品が自転車ハンドルバーの制御アセンブリであるか、あるいは、当該部品がディレイラである、自転車部品。
【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
基板の被研磨面が上向きとなるように前記基板を保持する研磨装置のための研磨ヘッドであって、
前記研磨ヘッドの回転シャフトの周囲に設けられた、液体を受けるための液体リザーバ部と、
前記液体リザーバ部の上部に設けられた、液体を前記液体リザーバ部に注入するための液体注入口と、
前記液体リザーバ部の下部に設けられた、液体を前記液体リザーバ部から排出するための液体排出口と、
前記液体リザーバ部により受けられた液体を、前記液体排出口を介して圧送するための圧送部と、
を備えた、研磨ヘッド。
【請求項２】
請求項１に記載の研磨ヘッドであって、
前記液体リザーバ部は、上部から下部に向かって内径が広くなるように形成される、
研磨ヘッド。
【請求項３】
請求項２に記載の研磨ヘッドであって、
前記リザーバ部の少なくとも一部を構成する側壁が、上部に開口を有するドーム状に形成されている、
研磨ヘッド。
【請求項４】
請求項３に記載の研磨ヘッドであって、前記研磨ヘッドはさらに、
中央に開口を有する板状の基体と、
前記回転シャフトの下端に設けられているフランジと、を有し、
前記側壁は、前記基体の開口の周囲に設けられており、
前記基体、前記側壁、前記回転シャフト、前記フランジ、およい前記圧送部は一体的な構造である、
研磨ヘッド。
【請求項５】
請求項１から４のいずれか一項に記載の研磨ヘッドであって、
前記液体排出口は、前記液体リザーバ部の下部の外周部に設けられる、
研磨ヘッド。
【請求項６】
請求項１から５のいずれか一項に記載の研磨ヘッドであって、
前記圧送部は、前記液体リザーバ部の内部において前記研磨ヘッドの回転シャフトに取り付けられた羽根車を含む、
研磨ヘッド。
【請求項７】
請求項１から５のいずれか一項に記載の研磨ヘッドであって、
前記液体排出口と連通する空間をさらに含み、
前記研磨ヘッドの回転シャフトは、中空であり、
前記圧送部は、前記研磨ヘッドの回転シャフトの内部を通る駆動シャフトと、前記空間に設けられ、前記駆動シャフトに結合された羽根車と、を含む、
研磨ヘッド。
【請求項８】
請求項１から５のいずれか一項に記載の研磨ヘッドであって、
前記液体排出口と連通する空間をさらに含み、
前記研磨ヘッドの回転シャフトは、中空であり、
前記回転シャフトの中空部分と前記液体排出口と連通する空間との間に、液体が前記回転シャフトの中空部分に侵入するのを防止するためのシール部材が設けられている、
研磨ヘッド。
【請求項９】
上面に基板を着脱可能に支持するための基板支持機構と、
前記基板支持機構に対向するように設けられた、請求項１から８のいずれか一項に記載の研磨ヘッドと、
前記研磨ヘッドの前記液体注入口を介して前記液体リザーバ部に液体を供給するための液体供給ノズルと、
を備える、研磨装置。
【請求項１０】
請求項９に記載の研磨装置であって、
前記液体リザーバ部から液体が溢れていないか、および／または、前記液体排出口が液体で満たされているか、を監視するための液面監視装置を有する、
研磨装置。
【請求項１１】
請求項１０に記載の研磨装置であって、さらに、
前記液面監視装置の測定値に基づいて前記圧送部の駆動出力を制御する制御部を有する、
研磨装置。
【請求項１２】
請求項９から１１のいずれか一項に記載の研磨装置を用いた研磨方法であって、
前記研磨ヘッドの下面に取り付けられた研磨パッドを前記基板に接触させるステップと、
前記液体供給ノズルから前記液体リザーバ部に液体を供給するステップと、
前記圧送部を駆動させるステップと、
を含む、研磨方法。
【請求項１３】
請求項７に従属する請求項９から１１のいずれか一項に記載の研磨装置を用いた請求項
１２に記載の研磨方法であって、
前記圧送部を駆動させるステップとは独立して前記研磨ヘッドを回転させるステップと、
前記圧送部の駆動を制御するステップと、
を含む、研磨方法。
【請求項１４】
請求項１３に記載の研磨方法であって、
前記圧送部の駆動を制御するステップは、
前記液体リザーバ部に供給された液体の液面位置を測定するステップと、
前記液体の液面位置と基準位置とを比較するステップと、
前記液体の液面位置と前記基準位置との比較結果に応じて、前記圧送部の駆動出力を維持する、上げる、または下げるステップと、
を含む、研磨方法。
【手続補正書】
【提出日】令和3年6月14日(2021.6.14)
【手続補正１】
【補正対象書類名】明細書
【補正対象項目名】０００７
【補正方法】変更
【補正の内容】
【０００７】
本発明に係る内釜は、炊飯器に用いられる内釜であって、筒状の有底形状をなし、底面部と、当該底面部から上方に向かって形成される側面部と、前記側面部の上端側に設けられ当該側面部の外周面から外方へ向けて張り出した鍔部と、を有し、前記鍔部における対向する内周面同士を結ぶ寸法が、前記側面部の上端における対向する内周面同士を結ぶ寸法よりも大きく形成され、前記鍔部と前記側面部との境界部の内周面が段差形状をなしている、ものである。
【手続補正２】
【補正対象書類名】特許請求の範囲
【補正対象項目名】全文
【補正方法】変更
【補正の内容】
【特許請求の範囲】
【請求項１】
炊飯器に用いられる内釜であって、
筒状の有底形状をなし、
底面部と、
当該底面部から上方に向かって形成される側面部と、
前記側面部の上端側に設けられ当該側面部の外周面から外方へ向けて張り出した鍔部と、を有し、
前記鍔部における対向する内周面同士を結ぶ寸法が、前記側面部の上端における対向する内周面同士を結ぶ寸法よりも大きく形成され、
前記鍔部と前記側面部との境界部の内周面が段差形状をなしている、内釜。
【請求項２】
前記鍔部は、前記炊飯器に収容される際、当該炊飯器の本体に対して載置される載置面を有する、請求項１に記載の内釜。
【請求項３】
前記鍔部の対向する内周面同士を結ぶ寸法は、前記側面部の上端における対向する内周面同士を結ぶ寸法の５％以上大きい、請求項１または２に記載の内釜。
【請求項４】
前記鍔部の高さは、内釜全体の高さの１／４以下である、請求項１〜３のいずれか一項に記載の内釜。
【請求項５】
前記鍔部の前記内周面には、当該鍔部の上端に向かうにつれ内方に向けて傾斜した第一の傾斜部が形成されている、請求項１〜４のいずれか一項に記載の内釜。
【請求項６】
前記鍔部の前記内周面には、前記側面部に向かうにつれ内方に向けて傾斜した第二の傾斜部が形成されている、請求項１〜５のいずれか一項に記載の内釜。
【請求項７】
前記鍔部の外周面には、前記側面部に向かうにつれ内方に向けて傾斜した第三の傾斜部が形成されている、請求項１〜６のいずれか一項に記載の内釜。
【請求項８】
前記鍔部の外周面には、内方へ向けて窪んだ把持部が形成されている、請求項１〜７のいずれか一項に記載の内釜。
【請求項９】
前記把持部は、段差形状をなしており、
前記鍔部の前記外周面は、前記把持部と前記境界部との二つの段差を有している、請求項８に記載の内釜。
【請求項１０】
前記側面部は、前記内周面に水位を示す水位目盛りを備え、
前記水位目盛りは、前記鍔部の前記内周面における最下部よりも下側に形成されている、請求項１〜９のいずれか一項に記載の内釜。
【請求項１１】
前記水位目盛りは、前記水位が最大高さで調理する際の調理物の高さが、前記鍔部の前記内周面における最下部よりも低くなるように設定されている、請求項１０に記載の内釜。
【請求項１２】
請求項１〜１１のいずれか一項に記載の内釜と、
前記内釜を収容する内釜収容部および前記内釜を加熱する加熱手段を有する本体と、
前記本体の前記内釜収容部の上部を覆う蓋体と、を備える、炊飯器。
【請求項１３】
前記内釜が前記本体の前記内釜収容部に収容された状態において、前記内釜の前記鍔部の一部が、前記本体より上方に突出する、請求項１２に記載の炊飯器。
【手続補正書】
【提出日】令和3年10月21日(2021.10.21)
【手続補正１】
【補正対象書類名】特許請求の範囲
【補正対象項目名】全文
【補正方法】変更
【補正の内容】
【特許請求の範囲】
【請求項１】
繊維シートからなる第１シートと、該第１シートと対向して配置され且つ繊維シートからなる第２シートと、両シート間に伸長状態で配置され且つ一方向に延びる弾性部材とを有し、該弾性部材の延びる方向に沿って伸縮性を有する伸縮性シートであって、
第１シートと第２シートとは、前記弾性部材を挟んで該弾性部材の両側に位置する一対の融着部によって接合されており、該一対の融着部は、該弾性部材の延びる方向に沿って間隔を置いて形成されており、
前記弾性部材は、該弾性部材を挟んで該弾性部材の両側に位置する前記一対の融着部、第１シート、及び第２シートによって画成された空間において、該弾性部材の表面と第１シート及び第２シートとの摩擦のみによって両シート間に固定されており、
前記一対の融着部の形成位置において、前記弾性部材の延びる方向と直交する方向に沿って前記伸縮性シートを断面視したとき、第２シートが該弾性部材と接する長さよりも、第１シートが該弾性部材と接する長さの方が長くなっており、
前記一対の融着部の形成位置において、前記弾性部材の延びる方向と直交する方向に沿って前記伸縮性シートを断面視したとき、第２シートが、前記一対の融着部間全域において、厚み方向内部に構成繊維間の空隙率が他の領域よりも相対的に低い低空隙率領域を有しており、
前記低空隙率領域では、構成繊維の一部は、繊維形態を喪失して溶融固化した状態となっており、且つ構成繊維の残部は繊維形態が維持されており、
前記弾性部材の延びる方向と直交する方向に沿う断面視において、該弾性部材の第２シート側は、該弾性部材の両側に位置する前記一対の融着部間の部分が、該一対の融着部間以外の部分に比して略平坦な部分となっている、伸縮性シート。
【請求項２】
第１シートが親水性シートである、請求項１に記載の伸縮性シート。
【請求項３】
第１シートは、前記一対の融着部間において、前記空隙率が互いに異なる複数の領域を有している、請求項１に記載の伸縮性シート。
【請求項４】
第１シートに、前記伸縮性シートの厚み方向に沿って、前記弾性部材から離れる方向に突出する凸部が形成されている、請求項１〜３のいずれか１項に記載の伸縮性シート。
【請求項５】
第１シート及び第２シートに、厚み方向に沿って互いに離れるように突出する凸部がそれぞれ形成されている、請求項１〜４のいずれか１項に記載の伸縮性シート。
【請求項６】
吸収性本体と、該吸収性本体の非肌対向面側に位置する外装体とからなる吸収性物品であって、
前記外装体が、請求項１〜５のいずれか１項に記載の伸縮性シートを含み、該伸縮性シートは、該伸縮性シートにおける第１シートが肌対向面側となるように配置されている、吸収性物品。
【誤訳訂正書】
【提出日】令和3年10月29日(2021.10.29)
【誤訳訂正１】
【訂正対象書類名】特許請求の範囲
【訂正対象項目名】全文
【訂正方法】変更
【訂正の内容】
【特許請求の範囲】
【請求項１】
蒸気送出システムであって、該蒸気送出システムは、
発生器ユニットと、
前記発生器ユニットに配置されたクレードルと、
前記クレードルに配置され、蒸気を生成するための流体を送出するように構成されているシリンジ組立体と、
前記クレードルに配置された力センサであって、前記クレードルおよび／または前記シリンジ組立体によって該力センサに横方向に及ぼされる横方向力に比例した電気信号を発生させるために前記クレードルおよび／または前記シリンジ組立体に接触するように構成された力センサと、を含み、前記横方向は、前記シリンジ組立体の長手方向軸線と垂直な方向であり、
前記電気信号を受け取るように構成されている電子制御器をさらに含み、前記電子制御器は、前記シリンジ組立体内の流体の圧力を代表するために前記電気信号を較正するようにさらに構成されている、蒸気送出システム。
【請求項２】
前記電子制御器は、前記圧力が、所定の流体圧力範囲から外れた場合に前記流体の送出を停止するようにさらに構成されている、請求項１に記載の蒸気送出システム。
【請求項３】
前記クレードルの少なくとも一部が、前記発生器ユニット内で横方向に自由に移動する、請求項１に記載の蒸気送出システム。
【請求項４】
前記クレードルは、リニアモータに結合されたピストンをさらに含み、前記ピストンは、前記シリンジ組立体から流体を送出するために、前記シリンジ組立体のプランジャと相互作用する、請求項１に記載の蒸気送出システム。
【請求項５】
前記プランジャと前記シリンジ組立体の相互作用は、前記クレードルによって前記力センサに横方向力が及ぼされるようにする、請求項４に記載の蒸気送出システム。
【請求項６】
前記クレードルは、前記シリンジ組立体の遠位端が、前記シリンジ組立体の近位端よりも高い高さに保持されるように、配置されている、請求項１に記載の蒸気送出システム。
【請求項７】
前記クレードルは、プライミング手順中に前記シリンジ組立体から空気をパージするように構成されている、請求項１に記載の蒸気送出システム。
【請求項８】
接触スイッチが、前記シリンジ組立体のバレルと前記クレードルとの接触によって作動される、請求項１に記載の蒸気送出システム。
【請求項９】
前記力センサは、前記クレードルと前記発生器ユニットの間に配置されている、請求項１に記載の蒸気送出システム。
【請求項１０】
前記シリンジ組立体のバレルは、前記クレードルに直接接触する、請求項１に記載の蒸気送出システム。
【誤訳訂正２】
【訂正対象書類名】図面
【訂正対象項目名】図２Ｄ
【訂正方法】変更
【訂正の内容】
【図２Ｄ】
2020199286.tif 000001
【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技状態制御手段を有する遊技機であって、
第１始動条件が成立した後に第１開始条件が成立したことに基づいて第１特定識別情報の可変表示を実行するとともに、第２始動条件が成立した後に第２開始条件が成立したことに基づいて第２特定識別情報の可変表示を実行し、第１特定識別情報の可変表示と第２特定識別情報の可変表示とを並行して実行可能な特定識別情報可変表示手段と、
遊技状態に応じて、第１特定識別情報の可変表示及び第２特定識別情報の可変表示のいずれか一方に対応して装飾識別情報の可変表示を実行可能な装飾識別情報可変表示手段と、
装飾識別情報の可変表示が実行されていないときに特別演出を実行可能な特別演出実行手段と、を備え、
前記遊技状態制御手段は、通常状態と、前記有利状態と異なる状態であって遊技者にとって有利な特殊状態と、前記通常状態よりも前記特殊状態に制御されやすい所定状態と、に制御可能であり、
前記特別演出の実行中において、前記第１開始条件及び前記第２開始条件が成立可能な場合に、前記第１始動条件及び前記第２始動条件のいずれか一方が成立したことに基づいて前記特別演出を終了させることが可能であり、
前記特別演出の実行中において、前記第１開始条件及び前記第２開始条件が成立不能な場合に、前記第１始動条件及び前記第２始動条件のいずれか一方が成立したときに前記特別演出を継続させることが可能であり、
前記通常状態中に前記特別演出が実行されているときにおいて、前記有利状態に制御されるときに前記特別演出を終了させる一方、前記特殊状態に制御されるときに前記特別演出を継続させることが可能である、
ことを特徴とする遊技機。
【手続補正２】
【補正対象書類名】明細書
【補正対象項目名】０００６
【補正方法】変更
【補正の内容】
【０００６】
【特許文献１】特開２０１７−０８６６９０号公報
【特許文献２】特開２０１５−１５６９５２号公報
【手続補正３】
【補正対象書類名】明細書
【補正対象項目名】０００７
【補正方法】変更
【補正の内容】
【０００７】
特許文献２に記載されたような２つの特定識別情報の可変表示を並行して実行可能な遊技機において、特許文献１に記載された特別演出を実行する構成を適用した場合に、特別演出に関する演出制御を適切に行う必要がある。
【手続補正４】
【補正対象書類名】明細書
【補正対象項目名】０００８
【補正方法】変更
【補正の内容】
【０００８】
この発明は、上記の実状に鑑みてなされたものであり、２つの特定識別情報の可変表示を並行して実行可能な遊技機において、特別演出に関する演出制御を適切に行うことにある。
【手続補正５】
【補正対象書類名】明細書
【補正対象項目名】０００９
【補正方法】変更
【補正の内容】
【０００９】
手段０の遊技機は、
遊技者にとって有利な有利状態に制御可能な遊技状態制御手段を有する遊技機であって、
第１始動条件が成立した後に第１開始条件が成立したことに基づいて第１特定識別情報の可変表示を実行するとともに、第２始動条件が成立した後に第２開始条件が成立したことに基づいて第２特定識別情報の可変表示を実行し、第１特定識別情報の可変表示と第２特定識別情報の可変表示とを並行して実行可能な特定識別情報可変表示手段と、
遊技状態に応じて、第１特定識別情報の可変表示及び第２特定識別情報の可変表示のいずれか一方に対応して装飾識別情報の可変表示を実行可能な装飾識別情報可変表示手段と、
装飾識別情報の可変表示が実行されていないときに特別演出を実行可能な特別演出実行手段と、を備え、
前記遊技状態制御手段は、通常状態と、前記有利状態と異なる状態であって遊技者にとって有利な特殊状態と、前記通常状態よりも前記特殊状態に制御されやすい所定状態と、に制御可能であり、
前記特別演出の実行中において、前記第１開始条件及び前記第２開始条件が成立可能な場合に、前記第１始動条件及び前記第２始動条件のいずれか一方が成立したことに基づいて前記特別演出を終了させることが可能であり、
前記特別演出の実行中において、前記第１開始条件及び前記第２開始条件が成立不能な場合に、前記第１始動条件及び前記第２始動条件のいずれか一方が成立したときに前記特別演出を継続させることが可能であり、
前記通常状態中に前記特別演出が実行されているときにおいて、前記有利状態に制御されるときに前記特別演出を終了させる一方、前記特殊状態に制御されるときに前記特別演出を継続させることが可能である、
ことを特徴とする。
手段Ｇ１の遊技機は、
第１特定識別情報の可変表示（第１特別図柄の変動表示）と第２特定識別情報の可変表示（第２特別図柄の変動表示）とを並行して実行可能であり、遊技者にとって有利な有利状態（大当り遊技状態）に制御可能な遊技機（パチンコ遊技機１）であって、
演出を実行可能な演出実行手段（演出制御用ＣＰＵ１２０）を備え、
前記演出実行手段（演出制御用ＣＰＵ１２０）は、
第１特定識別情報の可変表示に対応して、前記有利状態に制御されることを示唆する特定演出を実行可能であり（図１１−７及び図１１−８に示すように、第１特別図柄の変動表示に対応したバトル演出を実行しており）、
前記有利状態に制御されない第１特定識別情報の可変表示に対応して前記特定演出を実行した（図１１−７（２）及び（３）、並びに、図１１−８（２）及び（３）に示すように、表示結果が「はずれ」となる第１特別図柄の変動表示に対応したバトル演出及び敗北演出を実行した）後に、前記有利状態に制御される第２特定識別情報の可変表示に対応して前記特定演出に関連した関連演出を実行可能である（図１１−７（４）〜（６）に示すように、表示結果が「大当り」となる第２特別図柄の変動表示に対応したショート復活演出を実行する。また、図１１−８（４）〜（８）に示すように、表示結果が「大当り」となる第２特別図柄の変動表示に対応したロング復活演出を実行する）
ことを特徴とする遊技機。
このような構成によれば、一方の特定識別情報の可変表示のうち有利状態の制御に対応しない可変表示と他方の特定識別情報の可変表示のうち有利状態の制御に対応した可変表示とが同時に実行されているときの演出の興趣を向上させることができる。
【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
所定条件が成立したことに伴い、遊技者に有益となる特別遊技の抽選を行う遊技制御手段と、
遊技情報を記憶する遊技情報記憶手段と、
前記遊技制御手段が行う制御に関する設定値を設定または確認するために操作される設定操作手段と、
遊技の性能に関する情報を表示可能な表示手段と、
を備える遊技機であって、
前記遊技制御手段は、
前記遊技機への電源投入時に実行される電源投入時処理と、電源遮断時に前記遊技情報記憶手段に格納されているデータからチェックサムを算出し、前記遊技情報記憶手段に格納されているデータが正常にバックアップされたことを示すバックアップフラグを格納する電源断時処理と、所定の周期毎に実行される定期処理とを実行し、
前記電源投入時処理において、前記遊技情報記憶手段に格納されているデータから算出されたチェックサムと前回の電源遮断時に計算されたチェックサムとが異なる、または、前記バックアップフラグが異常を示すと判定した場合には、遊技の実行前に前記遊技情報記憶手段のうち所定の領域の初期化を必要とし、
前記設定操作手段が操作された状態で前記遊技機への電源が投入された場合に、前記電源投入時処理において、前記設定操作手段の操作状態に応じて、前記設定値に関する情報を表示可能な設定遊技状態に対応する処理を実行し、
前記電源投入時処理において、前記遊技情報記憶手段に格納されているデータから算出されたチェックサムと前回の電源遮断時に計算されたチェックサムとが異なると判定された場合、または、前記バックアップフラグが異常を示すと判定された場合には、前記表示手段に異常と判定されたことを識別可能な表示を実行可能とし、
前記表示手段は、前記設定遊技状態の場合に設定値に関する情報を表示する第１状態表示と、前記設定遊技状態以外の場合に遊技の性能に関する情報を表示する第２状態表示とを表示可能であり、
前記表示手段は、前記設定遊技状態が終了した場合には、設定値に関する情報である前記第１状態表示から遊技の性能に関する情報である前記第２状態表示に切り替えて表示可能であり、前記第１状態表示から前記第２状態表示に切り替える場合には、前記第２状態表示を表示する前に、遊技の性能に関する情報とは異なる第３状態表示を所定の期間に亘って表示可能である
ことを特徴とする遊技機。
【手続補正２】
【補正対象書類名】明細書
【補正対象項目名】０００６
【補正方法】変更
【補正の内容】
【０００６】
本発明は、所定条件が成立したことに伴い、遊技者に有益となる特別遊技の抽選を行う遊技制御手段と、遊技情報を記憶する遊技情報記憶手段と、前記遊技制御手段が行う制御に関する設定値を設定または確認するために操作される設定操作手段と、遊技の性能に関する情報を表示可能な表示手段と、を備える遊技機であって、前記遊技制御手段は、前記遊技機への電源投入時に実行される電源投入時処理と、電源遮断時に前記遊技情報記憶手段に格納されているデータからチェックサムを算出し、前記遊技情報記憶手段に格納されているデータが正常にバックアップされたことを示すバックアップフラグを格納する電源断時処理と、所定の周期毎に実行される定期処理とを実行し、前記電源投入時処理において、前記遊技情報記憶手段に格納されているデータから算出されたチェックサムと前回の電源遮断時に計算されたチェックサムとが異なる、または、前記バックアップフラグが異常を示すと判定した場合には、遊技の実行前に前記遊技情報記憶手段のうち所定の領域の初期化を必要とし、前記設定操作手段が操作された状態で前記遊技機への電源が投入された場合に、前記電源投入時処理において、前記設定操作手段の操作状態に応じて、前記設定値に関する情報を表示可能な設定遊技状態に対応する処理を実行し、前記電源投入時処理において、前記遊技情報記憶手段に格納されているデータから算出されたチェックサムと前回の電源遮断時に計算されたチェックサムとが異なると判定された場合、または、前記バックアップフラグが異常を示すと判定された場合には、前記表示手段に異常と判定されたことを識別可能な表示を実行可能とし、前記表示手段は、前記設定遊技状態の場合に設定値に関する情報を表示する第１状態表示と、前記設定遊技状態以外の場合に遊技の性能に関する情報を表示する第２状態表示とを表示可能であり、前記表示手段は、前記設定遊技状態が終了した場合には、設定値に関する情報である前記第１状態表示から遊技の性能に関する情報である前記第２状態表示に切り替えて表示可能であり、前記第１状態表示から前記第２状態表示に切り替える場合には、前記第２状態表示を表示する前に、遊技の性能に関する情報とは異なる第３状態表示を所定の期間に亘って表示可能である
ことを特徴とする遊技機。
【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
所定の始動条件の成立に基づいて遊技が進行される遊技機であって、
演出移動体と、
前記演出移動体が第１位置と第２位置との間で移動可能に支持される移動体支持部と、
前記演出移動体を前記第１位置に向けて付勢する付勢部材と
を備え、
前記演出移動体が静止状態にあるときにその場に留まろうとする力であり、この力を超える力が当該演出移動体に対して加わると該演出移動体が移動を開始することになる力を「Ａ」、前記付勢部材による前記第１位置に向けての付勢にかかる力を「Ｂ」、前記演出移動体の自重による力のうちの前記「Ｂ」に抗する方向成分の力を「Ｃ」とするとき、前記演出移動体が前記第１位置から離れて前記第２位置へと近づくにつれて前記「Ｂ」が増大される傾向のあるなかで、
前記演出移動体は、
当該遊技機がホールに設置された状態にあるとき、前記第１位置と前記第２位置との間における中途の可動範囲のいずれに位置する場合であっても「Ａ＞｜Ｂ−Ｃ｜」なる関係が成立してその場に留まることが可能にされ、
前記演出移動体を付勢する前記付勢部材は、取り付け状態において上端と下端の位置関係が鉛直方向となるように配置されている
ことを特徴とする遊技機。
【手続補正２】
【補正対象書類名】明細書
【補正対象項目名】０００５
【補正方法】変更
【補正の内容】
【０００５】
ただし、上記従来の遊技機では、遊技興趣の低下が懸念される。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明は、こうした実情に鑑みてなされたものであり、遊技興趣の低下が抑制されうる遊技機の提供を目的とする。
【手続補正７】
【補正対象書類名】明細書
【補正対象項目名】００１０
【補正方法】変更
【補正の内容】
【００１０】
手段１：所定の始動条件の成立に基づいて遊技が進行される遊技機であって、
演出移動体と、
前記演出移動体が第１位置と第２位置との間で移動可能に支持される移動体支持部と、
前記演出移動体を前記第１位置に向けて付勢する付勢部材と
を備え、
前記演出移動体が静止状態にあるときにその場に留まろうとする力であり、この力を超える力が当該演出移動体に対して加わると該演出移動体が移動を開始することになる力を「Ａ」、前記付勢部材による前記第１位置に向けての付勢にかかる力を「Ｂ」、前記演出移動体の自重による力のうちの前記「Ｂ」に抗する方向成分の力を「Ｃ」とするとき、前記演出移動体が前記第１位置から離れて前記第２位置へと近づくにつれて前記「Ｂ」が増大される傾向のあるなかで、
前記演出移動体は、
当該遊技機がホールに設置された状態にあるとき、前記第１位置と前記第２位置との間における中途の可動範囲のいずれに位置する場合であっても「Ａ＞｜Ｂ−Ｃ｜」なる関係が成立してその場に留まることが可能にされ、
前記演出移動体を付勢する前記付勢部材は、取り付け状態において上端と下端の位置関係が鉛直方向となるように配置されていることを特徴とする。
【手続補正８】
【補正対象書類名】明細書
【補正対象項目名】００１１
【補正方法】変更
【補正の内容】
【００１１】
本発明によれば、遊技興趣の低下が抑制されうる。
【手続補正書】
【提出日】令和3年5月31日(2021.5.31)
【手続補正１】
【補正対象書類名】特許請求の範囲
【補正対象項目名】全文
【補正方法】変更
【補正の内容】
【特許請求の範囲】
【請求項１】
正面側に遊技領域を有する遊技盤と、その遊技盤の正面側に配設させるための第１部材と、その第１部材の正面側に所定の間隔を隔てて配設され、前記第１部材との対向間に遊技球を流下可能にする第２部材と、を備える遊技機において、
前記第１部材または第２部材の少なくとも一方に配設される所定部と前記第１部材または第２部材の他方との対向する間隔を変更する変更手段を備え、
前記変更手段によって、第１状態と、その第１状態とは前記第１部材および第２部材の対向間を流下する遊技球の流下方向が異なる第２状態とを形成可能であり、
前記第１部材および第２部材は、前記遊技盤の正面側から前記遊技盤に配設可能に構成され、
前記所定部は、前記遊技盤の正面視において上面側が前記遊技盤の幅方向に対して傾斜され、前記第１部材に配設され、
前記第１状態または第２状態の少なくとも一方では、前記所定部と前記第２部材との対向する部分が非平行とされることを特徴とする遊技機。
【手続補正２】
【補正対象書類名】明細書
【補正対象項目名】０００２
【補正方法】変更
【補正の内容】
【０００２】
パチンコ機等の遊技機において、流下する遊技球の流下方向を変更する遊技機が知られている（特許文献１）。
【手続補正３】
【補正対象書類名】明細書
【補正対象項目名】０００５
【補正方法】変更
【補正の内容】
【０００５】
しかしながら、上述した遊技機では、流下方向の変更に改善の余地があった。
【手続補正４】
【補正対象書類名】明細書
【補正対象項目名】０００６
【補正方法】変更
【補正の内容】
【０００６】
本発明は、上記例示した問題点を解決するためになされたものであり、流下方向の変更を改善できる遊技機を提供することを目的とする。
【手続補正５】
【補正対象書類名】明細書
【補正対象項目名】０００７
【補正方法】変更
【補正の内容】
【０００７】
この目的を達成するために請求項１記載の遊技機は、正面側に遊技領域を有する遊技盤と、その遊技盤の正面側に配設させるための第１部材と、その第１部材の正面側に所定の間隔を隔てて配設され、前記第１部材との対向間に遊技球を流下可能にする第２部材と、を備えるものであり、前記第１部材または第２部材の少なくとも一方に配設される所定部と前記第１部材または第２部材の他方との対向する間隔を変更する変更手段を備え、前記変更手段によって、第１状態と、その第１状態とは前記第１部材および第２部材の対向間を流下する遊技球の流下方向が異なる第２状態とを形成可能であり、前記第１部材および第２部材は、前記遊技盤の正面側から前記遊技盤に配設可能に構成され、前記所定部は、前記遊技盤の正面視において上面側が前記遊技盤の幅方向に対して傾斜され、前記第１部材に配設され、前記第１状態または第２状態の少なくとも一方では、前記所定部と前記第２部材との対向する部分が非平行とされる。
【手続補正６】
【補正対象書類名】明細書
【補正対象項目名】００１０
【補正方法】変更
【補正の内容】
【００１０】
請求項１記載の遊技機によれば、流下方向の変更を改善できる。
【手続補正７】
【補正対象書類名】明細書
【補正対象項目名】４２６７
【補正方法】変更
【補正の内容】
【４２６７】
１０                            パチンコ機
１３                            遊技盤
１３５６４，３２５６４，５０５６４，５１５６４  正面板（第２部材）
１３５７１，３２５７１，５０５７１，５１５７１  ベース板（第１部材）
１３５７１ｂ，３２５７１ｂ，５０５７１ｂ，５１５７１ｂ  第４凸部（所定部）
１３５７１ｃ，３２５７１ｃ      第５凸部（所定部）
３２５７３ｂ                    調整孔（変更手段）
３２９５０                      螺合板（変更手段）
ＳＩ                            シム部材（変更手段）
【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果が特別結果であることに基づいて特典を付与しうる特典付与手段と、
遊技者による特定動作を有効動作とする受付有効判定が許容される受付許容状態を発生可能であり、該受付許容状態において前記受付有効判定がなされると、該受付有効判定がなされたことに応じた受付後変化を実行可能な受付状態実行手段と、
遊技者による特定動作の対象を摸した摸画像表示を表示画面内の少なくとも特定領域を用いて表示可能な摸画像表示手段と、
前記特定領域の少なくとも一部を用いる重複演出表示を、前記摸画像表示とは異なる表示として表示可能な重複演出表示手段と
を備え、
前記受付許容状態において前記摸画像表示が前記特定領域で視認可能とされているなかで前記受付有効判定がなされた場合、該受付有効判定がなされたことに応じた受付後変化では、当該受付後変化の１つとして、前記摸画像表示が非表示の状態にされるまでの間に、前記特定領域の少なくとも一部を用いる重複演出表示が前記摸画像表示とは異なる表示として現れて、該摸画像表示が視認可能であるものの視認し難くされうる遊技機であって、
前記受付許容状態として、第１受付許容状態及び第２受付許容状態を含む複数の受付許容状態が用意されており、
前記第１受付許容状態及び前記第２受付許容状態のいずれにおいても、前記摸画像表示が前記特定領域で視認可能とされていない状態で行われた遊技者による特定動作を有効動作とする受付有効判定が許容されており、
前記摸画像表示が前記特定領域で視認可能とされていない状態での前記受付有効判定が前記第１受付許容状態でなされた場合、前記重複演出表示は表示されず、
前記摸画像表示が前記特定領域で視認可能とされていない状態での前記受付有効判定が前記第２受付許容状態でなされた場合、前記重複演出表示が表示されうるようになっており、
さらに、
前記受付許容状態が発生するよりも前に特定の前演出表示が表示される場合があり、該特定の前演出表示は、当該受付許容状態の発生タイミングを跨るかたちで表示可能とされ、
前記受付許容状態において前記特定の前演出表示が表示されているなかで前記受付有効判定がなされた場合、該受付有効判定がなされたことに応じた前記受付後変化が実行開始される時点において前記特定の前演出表示は非表示の状態にされておらず表示されており、該受付後変化が実行途中の状況にあるなかで非表示にされる
ことを特徴とする遊技機。
【手続補正２】
【補正対象書類名】明細書
【補正対象項目名】０００７
【補正方法】変更
【補正の内容】
【０００７】
手段１：判定を行う判定手段と、
前記判定手段の判定結果が特別結果であることに基づいて特典を付与しうる特典付与手段と、
遊技者による特定動作を有効動作とする受付有効判定が許容される受付許容状態を発生可能であり、該受付許容状態において前記受付有効判定がなされると、該受付有効判定がなされたことに応じた受付後変化を実行可能な受付状態実行手段と、
遊技者による特定動作の対象を摸した摸画像表示を表示画面内の少なくとも特定領域を用いて表示可能な摸画像表示手段と、
前記特定領域の少なくとも一部を用いる重複演出表示を、前記摸画像表示とは異なる表示として表示可能な重複演出表示手段と
を備え、
前記受付許容状態において前記摸画像表示が前記特定領域で視認可能とされているなかで前記受付有効判定がなされた場合、該受付有効判定がなされたことに応じた受付後変化では、当該受付後変化の１つとして、前記摸画像表示が非表示の状態にされるまでの間に、前記特定領域の少なくとも一部を用いる重複演出表示が前記摸画像表示とは異なる表示として現れて、該摸画像表示が視認可能であるものの視認し難くされうる遊技機であって、
前記受付許容状態として、第１受付許容状態及び第２受付許容状態を含む複数の受付許容状態が用意されており、
前記第１受付許容状態及び前記第２受付許容状態のいずれにおいても、前記摸画像表示が前記特定領域で視認可能とされていない状態で行われた遊技者による特定動作を有効動作とする受付有効判定が許容されており、
前記摸画像表示が前記特定領域で視認可能とされていない状態での前記受付有効判定が前記第１受付許容状態でなされた場合、前記重複演出表示は表示されず、
前記摸画像表示が前記特定領域で視認可能とされていない状態での前記受付有効判定が前記第２受付許容状態でなされた場合、前記重複演出表示が表示されうるようになっており、
さらに、
前記受付許容状態が発生するよりも前に特定の前演出表示が表示される場合があり、該特定の前演出表示は、当該受付許容状態の発生タイミングを跨るかたちで表示可能とされ、
前記受付許容状態において前記特定の前演出表示が表示されているなかで前記受付有効判定がなされた場合、該受付有効判定がなされたことに応じた前記受付後変化が実行開始される時点において前記特定の前演出表示は非表示の状態にされておらず表示されており、該受付後変化が実行途中の状況にあるなかで非表示にされる
ことを特徴とする遊技機。
【手続補正書】
【提出日】令和3年2月18日(2021.2.18)
【手続補正１】
【補正対象書類名】特許請求の範囲
【補正対象項目名】全文
【補正方法】変更
【補正の内容】
【特許請求の範囲】
【請求項１】
ユーザの操作に応じてビデオゲームの進行を制御する機能をサーバに実現させるためのビデオゲーム処理プログラムであって、
前記サーバに、
複数のプレイヤが参加可能なゲーム内のイベントへの参加を受付けてパーティを構成して管理するイベント参加管理機能と、
イベントへ参加したプレイヤのプレイヤキャラクタの当該イベント外における強さの度合いを示すレベルに関わらず、パーティ内の全てのプレイヤキャラクタのイベント内のレベルを所定の初期レベルに設定してからイベントを開始させる初期レベル設定機能と、
イベントへ参加したプレイヤのプレイヤキャラクタのイベント内での装備品に関わらず、プレイヤキャラクタがイベント外で装備していた装備品によるプレイヤキャラクタの外観への影響を当該イベントにおけるプレイヤキャラクタの外観に引き継いで設定する外観設定機能と、
当該イベント内におけるキャラクタのレベルアップの所定条件を管理しキャラクタがレベルアップ条件を満たしたかを判定するレベルアップ判定機能と、
イベントが所定の進行状況に到達した際に、そこまでのイベント進行状況を保存可能とする保存機能と、
保存したイベント進行状況を読み出してプレイの続きを再開可能とする再開機能と
を実現させるビデオゲーム処理プログラム。
【請求項２】
前記サーバに、
イベントにおいて設定されたイベントクリアの所定条件を満たした場合に、参加しているプレイヤキャラクタに対してクリア報酬を付与するクリア報酬付与機能
を更に実現させ、
前記クリア報酬は、イベント外でのプレイヤキャラクタのレベルが上限に達していないプレイヤに対して、イベント外でのプレイヤキャラクタのレベルを上げるためのポイントを付与する
請求項１記載のビデオゲーム処理プログラム。
【請求項３】
前記サーバに、
イベントにおいて設定されたイベントクリアの所定条件を満たした場合に、参加しているプレイヤキャラクタに対してクリア報酬を付与するクリア報酬付与機能
を更に実現させ、
前記クリア報酬は、イベント外でのプレイヤキャラクタのレベルが上限に達しているプレイヤに対しては、ゲーム内で使用可能なアイテムを付与する
請求項１又は請求項２記載のビデオゲーム処理プログラム。
【請求項４】
ユーザの操作に応じてビデオゲームの進行を制御する機能をユーザ端末に実現させるためのビデオゲーム処理プログラムであって、
前記ユーザ端末に、
複数のプレイヤが参加可能なゲーム内のイベントへの参加を受付けてパーティを構成して管理するイベント参加管理機能と、
イベントへ参加したプレイヤのプレイヤキャラクタの当該イベント外における強さの度合いを示すレベルに関わらず、パーティ内の全てのプレイヤキャラクタのイベント内のレベルを所定の初期レベルに設定してからイベントを開始させる初期レベル設定機能と、
イベントへ参加したプレイヤのプレイヤキャラクタのイベント内での装備品に関わらず、プレイヤキャラクタがイベント外で装備していた装備品によるプレイヤキャラクタの外観への影響を当該イベントにおけるプレイヤキャラクタの外観に引き継いで設定する外観設定機能と、
当該イベント内におけるキャラクタのレベルアップの所定条件を管理しキャラクタがレベルアップ条件を満たしたかを判定するレベルアップ判定機能と、
イベントが所定の進行状況に到達した際に、そこまでのイベント進行状況を保存可能とする保存機能と、
保存したイベント進行状況を読み出してプレイの続きを再開可能とする再開機能と
を実現させるビデオゲーム処理プログラム。
【請求項５】
通信ネットワークと、サーバと、ユーザ端末とを備え、ユーザの操作に応じてビデオゲームの進行を制御するビデオゲーム処理システムであって、
複数のプレイヤが参加可能なゲーム内のイベントへの参加を受付けてパーティを構成して管理するイベント参加管理手段と、
イベントへ参加したプレイヤのプレイヤキャラクタの当該イベント外における強さの度合いを示すレベルに関わらず、パーティ内の全てのプレイヤキャラクタのイベント内のレベルを所定の初期レベルに設定してからイベントを開始させる初期レベル設定手段と、
イベントへ参加したプレイヤのプレイヤキャラクタのイベント内での装備品に関わらず、プレイヤキャラクタがイベント外で装備していた装備品によるプレイヤキャラクタの外観への影響を当該イベントにおけるプレイヤキャラクタの外観に引き継いで設定する外観設定手段と、
当該イベント内におけるキャラクタのレベルアップの所定条件を管理しキャラクタがレベルアップ条件を満たしたかを判定するレベルアップ判定手段と、
イベントが所定の進行状況に到達した際に、そこまでのイベント進行状況を保存可能とする保存手段と、
保存したイベント進行状況を読み出してプレイの続きを再開可能とする再開手段とを含む
ビデオゲーム処理システム。